(57)【要約】【課題】本発明は、デザイン性を高め、電子部品の設置スペースを確保することのできるスライド型電子機器を提供する。【解決手段】本発明に係るスライド型電子機器は、第１筐体２０と、第２筐体３０と、前記第１筐体の下面２４と、前記第２筐体の上面３１とを互いにスライド可能に連結するスライドモジュール４０と、を具えるスライド型電子機器であって、前記第１筐体の下面は、スライド方向に沿う側縁２６，２７に向けて上向きに反った第１せり上がり面２８を有し、前記第２筐体の上面は、スライド方向に沿う側縁３６，３７に向けて上向きに反った第２せり上がり面３８を有する。【選択図】図４
2015104002.tif 000002
【特許請求の範囲】
【請求項１】
第１筐体と、
第２筐体と、
前記第１筐体の下面と、前記第２筐体の上面とを互いにスライド可能に連結するスライドモジュールと、
を具えるスライド型電子機器であって、
前記第１筐体の下面は、スライド方向に沿う側縁に向けて上向きに反った第１せり上がり面を有し、
前記第２筐体の上面は、スライド方向に沿う側縁に向けて上向きに反った第２せり上がり面を有する、
ことを特徴とするスライド型電子機器。
【請求項２】
前記第２せり上がり面は、側縁が、前記第１筐体の下面と同じ又はこれより高くなるよう反っている、
請求項１に記載のスライド型電子機器。
【請求項３】
前記第２筐体は、第２せり上がり面の形成された側縁に、外部から端子を接続する外部接続端子部が臨出している、
請求項１又は請求項２に記載の電子機器。
【発明の詳細な説明】
【技術分野】
【０００１】
本発明は、第１筺体に対して第２筺体をスライド可能に係合したスライド型電子機器に関するものである。
【背景技術】
【０００２】
スマートフォン、携帯電話機、携帯型音楽プレーヤ、携帯型ゲーム機などの電子機器において、第１筺体に対して第２筺体をスライド可能に係合したスライド型電子機器が知られている。
【０００３】
たとえば、特許文献１では、表示部が形成された第１筺体のフラットな下面と、操作キーが形成された第２筺体のフラットな上面とをスライドモジュールによって互いにスライド可能に連結している。
【先行技術文献】
【特許文献】
【０００４】
【特許文献１】特開２００９−３２０９８号公報
【発明の概要】
【発明が解決しようとする課題】
【０００５】
第１筐体を第２筐体に対してスライド可能にスライドモジュールで連結する際に、筺体や操作キーが擦れることを防止するために、第１筐体と第２筐体との間に隙間を形成している。この隙間は、電子機器の側面からスライドモジュールまで真っ直ぐに延びており奥行が深い。従って、電子機器を側方から見ると、第１筐体が第２筐体に対して浮いているように見え、デザイン上好ましくない。また、隙間は、真っ直ぐにスライドモジュールまで通じているから、カードなどのような薄い部材が側方から隙間に入り込んでしまうと、可動部材であるスライドモジュールの動作性を低下させてしまう虞がある。
【０００６】
また、操作部の配置される第２筐体には、側面にイヤホンジャックなどの外部端子接続部や種々の操作キーが配置されると共に、アンテナ等が内部に配置される。このため、第２筐体の側面にこれらの設置スペースを確保したいという要請がある。しかしながら、このためには、第２筐体を全体的に厚くせざるを得ず、電子機器の薄型化に反することとなる。
【０００７】
本発明の目的は、デザイン性を高め、電子部品の設置スペースを確保することのできるスライド型電子機器を提供することである。
【課題を解決するための手段】
【０００８】
本発明に係るスライド型電子機器は、
第１筐体と、
第２筐体と、
前記第１筐体の下面と、前記第２筐体の上面とを互いにスライド可能に連結するスライドモジュールと、
を具えるスライド型電子機器であって、
前記第１筐体の下面は、スライド方向に沿う側縁に向けて上向きに反った第１せり上がり面を有し、
前記第２筐体の上面は、スライド方向に沿う側縁に向けて上向きに反った第２せり上がり面を有する。
【発明の効果】
【０００９】
本発明に係る電子機器によれば、電子機器を側方から見たときに、第１筐体の下面と第２筐体の上面との間に形成される隙間が埋まっているように見え、デザイン性を高めることができる。
【００１０】
また、第１せり上がり面と第２せり上がり面は、夫々第１モジュール取付面及び第２モジュール取付面とは平行に連続していないから、側方から隙間に異物が挟み込まれても、スライドモジュールまで到達し難く、スライドモジュールの動作性を低下させ難い。
【００１１】
さらに、第２筐体は、第２せり上がり面によって側縁を嵩高とすることができるから、種々の電子部品を配置、収容する設置スペースを確保できる。
【図面の簡単な説明】
【００１２】
【図１】図１は、本発明の一実施形態に係る電子機器を第１筐体側から見た平面図であって、電子機器の開き状態を示している。
【図２】図２は、本発明の一実施形態に係る電子機器の底面図であって、電子機器の閉じ状態を示している。
【図３】図３は、本発明の一実施形態に係るスライドモジュールを第２筐体側から見た斜視図である。
【図４】図４は、図２の丸囲み部Ａの拡大図である。
【図５】図５は、図２の丸囲み部Ｂの拡大図である。
【図６】図６は、本発明の一実施形態に係る電子機器の左側面図であって、電子機器の閉じ状態を示している。
【図７】図７は、本発明の一実施形態に係る電子機器の右側面図であって、電子機器の閉じ状態を示している。
【図８】図８は、本発明の一実施形態に係る電子機器の左側縁近傍の電子機器の正面図であって、電子機器の閉じ状態を示している。
【図９】図９は、本発明の一実施形態に係る電子機器を第２筐体側から見た底面図であって、電子機器の閉じ状態を示している。
【発明を実施するための形態】
【００１３】
以下、本発明のスライド型電子機器１０をスマートフォンに適用した実施形態について図面を参照しながら説明する。本発明を適用可能なスライド型電子機器１０として、スマートフォン以外に、携帯電話機、ＰＤＡ（Personal  Digital  Assistant）、タブレット型端末、携帯型音楽プレーヤ、携帯型ゲーム機などを挙げることができる。
【００１４】
図１は、本発明の一実施形態に係る電子機器１０の平面図である。なお、以下では、説明を判り易くするために、図１において紙面手前方向を上、紙面奥方向を下と規定する。また、左右又は幅方向とは、紙面の左右方向とする。
【００１５】
図１及び図２に示すように、電子機器１０は、夫々幅方向に長い上側の第１筐体２０と下側の第２筐体３０を互いにスライド可能に連結して構成することができる。第１筐体２０には、上面２１に表示部２２、複数の操作キー２３が配置されており、第２筐体３０には、上面３１に複数の操作キー３３が配置されている。なお、表示部２２、操作キー２３，３３の配置は図示の実施形態に限定されず、たとえば、第１筐体２０の上面２１の略全体を表示部２２としてもよいし、表示部２２はタッチパネル式のものを採用することもできる。
【００１６】
図１は、第１筐体２０を第２筐体３０に対して、開きスライド方向である矢印α方向にスライドさせ、第２筐体３０の操作キー３３を操作できる開き状態の電子機器１０を示している。開き状態では、電子機器１０を図１に示すように横向きにして、第２筐体３０の操作キー３３を用いて種々の入力を行なうことができる。
【００１７】
第１筐体２０を第２筐体３０に対して、閉じスライド方向である矢印α方向とは逆向きにスライドさせた閉じ状態では、第２筐体３０の上面３１は、第１筐体２０と重なって、第１筐体２０の下面に隠れる。閉じ状態では後述する図８に示すように、電子機器１０を縦向きにして、通話や第１筐体２０の操作キー２３を用いた種々の入力を行なうことができる。
【００１８】
図３は、第１筐体２０と第２筐体３０とをスライド可能に連結するスライドモジュール４０の一実施形態を示している。図示のスライドモジュール４０は、第２筐体側から見た斜視図であり、第２筐体３０の上面３１に取り付けられるベース板４１に、第１筐体２０の下面２４に取り付けられるスライド板４２がスライド可能に係合している。ベース板４１とスライド板４２は、スプリング４３によってスライド方向に付勢されている。スプリング４３は、閉じ状態（図３）と開き状態（図３中、矢印β方向にスライド板４２が移動した状態）の中間位置から各方向へ向けてスライド板４２をベース板４１に対して付勢するものである。
【００１９】
第１筐体２０の下面２４には、図４及び図５に示すように、スライド方向と直交する幅方向略中央位置にスライド板４２を取り付ける第１取付面２５が形成されている。スライド板４２は、ネジ止め等により第１取付面２５に取り付けられる。
【００２０】
また、第２筐体３０の上面３１には、図４及び図５に示すように、スライド方向と直交する幅方向略中央委位置にベース板４１を取り付ける第２取付面３５が形成されている。ベース板４１は、ネジ止め等により第２取付面３５に取り付けられる。
【００２１】
スライドモジュール４０は、スライド時に第１筐体２０の下面２４と第２筐体３０の上面３１が擦れて操作キー３３等が摩耗や誤操作されないようにするために、図４及び図５に示すように、第１筐体２０と第２筐体３０との間に隙間Ｓを存した状態で、第１筐体２０と第２筐体３０とを連結している。
【００２２】
そして、本発明では、この隙間Ｓを形成する第１筐体２０の下面２４と第２筐体３０の上面３１について、スライド方向に沿う第１筐体２０の側縁２６，２７と、第２筐体３０の側縁３６，３７を上向きに反らせている。
【００２３】
より詳細には、第１筐体２０の下面２４は、側縁２６，２７に向けて、夫々図４及び図５に示すように、上向きに反った第１せり上がり面２８が形成されている。また、第２筐体３０の上面３１は、側縁３６，３７に向けて、図２の斜線部分、図４及び図５に示すように、上向きに反った第２せり上がり面３８が形成されている。第２せり上がり面３８は、図２に示すように、操作キー３３の操作性を高めるために、操作キー３３よりも外側に形成することが望ましい。
【００２４】
第１せり上がり面２８と第２せり上がり面３８は、図４及び図５に示すように、共に略同じ曲率で上向きに湾曲した面とすることができる。
【００２５】
第１筐体２０及び第２筐体３０に、夫々第１せり上がり面２８と第２せり上がり面３８を形成することで、隙間Ｓは真っ直ぐではなく屈曲した形状とすることができる。
【００２６】
このため、図４及び図５中矢印γで示すように、電子機器１０を側方から見たときに、隙間Ｓの奥側まで見通し難くなる。これにより、図４及び図５に示すように、隙間Ｓからの視線γは、第１筐体２０の下面２４に当たり、第２筐体２０の下面２４のみが見えることになるから、隙間Ｓに奥行き感がなくなり、隙間Ｓがまるで埋まっているかのように見える。従って、図４乃至図７に示すように、隙間Ｓによって第１筐体２０と第２筐体３０とが互いに離間しているようには感じ難いから、デザイン性を高めることができる。
【００２７】
また、電子機器１０の側方から隙間Ｓにカードのような薄い部材が入り込んでしまっても、隙間Ｓを屈曲した形状としているから、このような異物がスライドモジュール４０までは到達し難く、可動部材であるスライドモジュール４０の動作性を低下させ難い。
【００２８】
望ましくは、第２せり上がり面３８の側縁３６，３７は、第２筐体３０の上面３１の第２せり上がり面３８，３８間の平らな部分よりも、隙間Ｓと略同じ又は隙間Ｓの高さよりも高くなるように形成する。これにより、隙間Ｓの奥行き感をさらになくすことができ、隙間Ｓを感じさせないデザインとすることができる。また、異物が入り込んだ場合であっても、スライドモジュール４０までより到達し難くすることができる。
【００２９】
なお、第２筐体３０は、第２せり上がり面３８を形成することで、その盛り上がり分だけ側縁３６，３７を嵩高とすることができる。すなわち、第２筐体３０は、側縁３６，３７の近傍の内部空間を広くできる。
【００３０】
従って、第２筐体３０の内部に収容される種々の電子部品のうち、第２筐体３０の側縁３６，３７の近傍に配置が所望される部品、たとえば、イヤホンジャック５０（図４及び図６参照）などの外部端子接続部、操作キー、アンテナ等の設置スペースを確保できる。
【００３１】
このように、電子部品の設置スペースやその基板のチップスペースが確保されることで、電子部品の配置の自由度を高めることができる。
【００３２】
その結果、たとえば、図８及び図９に示すように、イヤホンジャック５０を傾けて配置することができる。これにより、イヤホンジャック５０に図８及び図９の一点鎖線δで示すように、イヤホン端子を斜め向きに差し込むことができるから、イヤホンを差し込んだ状態でのデザイン性を高めることができ、視覚的な商品性の向上を図ることができる。
【００３３】
上記説明は、本発明を説明するためのものであって、特許請求の範囲に記載の発明を限定し、或いは範囲を限縮するように解すべきではない。また、本発明の各部構成は、上記実施例に限らず、特許請求の範囲に記載の技術的範囲内で種々の変形が可能であることは勿論である。
【００３４】
たとえば、上記実施形態では、スライド方向に沿う両方の側縁に夫々せり上がり面２８，３８を形成しているが、一方の側縁のみにせり上がり面２８，３８を形成しても構わない。
【００３５】
また、上記実施形態では、第１筐体２０と第２筐体３０は、幅方向に長く、スライド方向に短い形状であるが、幅方向に短く、スライド方向に長い形状とすることもできる。
【符号の説明】
【００３６】
１０  電子機器
２０  第１筐体
２４  下面（第１筐体）
２８  第１せり上がり面
３０  第２筐体
３１  上面（第２筐体）
３８  第２せり上がり面
４０  スライドモジュール
５０  イヤホンジャック
Ｓ  隙間
【図１】
2015104002.tif 000003
【図２】
2015104002.tif 000004
【図３】
2015104002.tif 000005
【図４】
2015104002.tif 000006
【図５】
2015104002.tif 000007
【図６】
2015104002.tif 000008
【図７】
2015104002.tif 000009
【図８】
2015104002.tif 000010
【図９】
2015104002.tif 000011